(57)【要約】【課題】周囲の木製建築構造物と調和し、且つ所望の耐震機能を有する建具を提供する。【解決手段】建具は、木製である矩形状の第１枠体２と、該第１枠体２の内側に取り付けられる金属製で矩形状の第２枠体３と、該第２枠体３を補強するための筋交い構造４とを備えている。また、第１枠体２は床面１５に直交した垂直面Ｌ内に位置して、筋交い構造４は炭素繊維から形成された平帯状の筋交い４０から構成され、該筋交い４０はその平らな面が前記垂直面Ｌに対向するように配置されている。【選択図】  図３
2016048004.tif 000002
【特許請求の範囲】
【請求項１】
木製である矩形状の第１枠体と、該第１枠体の内側に取り付けられる金属製で矩形状の第２枠体と、該第２枠体を補強するために設けられる筋交い構造とを備えて構成される建具。
【請求項２】
前記第１枠体は床面に直交した垂直面内に位置して、前記筋交い構造は炭素繊維から形成された平帯状の筋交いから構成され、該筋交いはその平らな面が前記垂直面に対向するように配置されている、請求項１に記載の建具。
【請求項３】
前記筋交いの端部は、前記第２枠体の隅部に設けられる取付け具に取り付けられ、
該取付け具は切欠きが形成されて、該切欠き内に前記筋交いの端部が配置されるスペーサと、前記スペーサを挟む第１の部材及び第２の部材とを備え、
前記筋交いの端部が前記スペーサ及び前記第１の部材と第２の部材に接着剤で結合されている、請求項２に記載の建具。
【請求項４】
前記第１の部材又は第２の部材の何れかには、前記筋交いの端部に塗布された接着剤が流出することを許す確認用孔が開設された、請求項３に記載の建具。
【請求項５】
更に、床面に対して第１枠体を固定して開閉動作を規制する状態と、該開閉動作を許す状態とを切り換える、ロック機構が配置された、請求項１乃至４の何れかに記載の建具。
【発明の詳細な説明】
【技術分野】
【０００１】
本発明は、地震等の強烈な揺れや衝撃が生じた際にも、容易に破損することがない耐震機能を備えた建具に関する。
【背景技術】
【０００２】
従来の耐震機能を備えた建具としては、特許文献１に開示されたものがある。これは金属製の枠体の内側に金属製の筋交いを設け、該枠体の表裏面に化粧板を貼り付けた襖状の建具である。
【先行技術文献】
【特許文献】
【０００３】
【特許文献１】特開２００９-９１８８２号公報
【発明の概要】
【発明が解決しようとする課題】
【０００４】
家屋、特に日本家屋においては、木材が有する温かみ、肌触り等に鑑みて、木造建築が用いられるのが一般的であり、該木造建築には周囲の建築構造物との調和に鑑みて、木製の建具が用いられることが多い。特許文献１に開示された建具にあっては、化粧板に木目調の模様を施しても、木材が有する独特の温かみ、肌触りは十分には感じられない。従って、該建具は周囲の建築構造物、具体的には建具が取り付けられる木製の敷居や鴨居、建具の周囲の木製柱と調和せず、建具の使用者に違和感を抱かせるものであった。また、筋交いをある程度の厚み、太さを有する金属製とせざるを得ず、建具全体の重量が増加するとの問題もある。
本発明の目的は、周囲の木製建築構造物と調和し、且つ所望の耐震機能を有する建具を提供することにある。また、かかる建具において、軽量化を図ることも目的とする。
【課題を解決するための手段】
【０００５】
本発明に係る建具は、木製である矩形状の第１枠体と、該第１枠体の内側に取り付けられる金属製で矩形状の第２枠体と、該第２枠体を補強するために設けられる筋交い構造とを備えている。
また、第１枠体は床面に直交した垂直面内に位置して、筋交い構造は炭素繊維から形成された平帯状の筋交いから構成され、該筋交いはその平らな面が前記垂直面に対向するように配置されている。
【発明の効果】
【０００６】
１．本発明に係る建具は、最も外側に位置する第１枠体が木製であり、該第１枠体を金属製の第２枠体にて補強している。これにより、建具の使用者に木材が有する独特の温かみ、肌触りを十分に与えることができるとともに、耐震強度も確保することができる。従って、該建具は耐震強度を有しつつ、周囲の建築構造物である木製の敷居や鴨居、建具の周囲の木製柱と調和し、建具の使用者に心地よさを与えることができる。
また、建具自体に耐震強度を持たせることにより、建具が取り付けられる建物全体の耐震強度を高めることができる。
２．筋交いは、平帯状の炭素繊維から形成されるので、筋交い構造が軽量となる。また、筋交いはその平らな面が第１枠体が位置する垂直面に対向しているから、筋交い構造が建具に施工された状態で筋交い構造自体が嵩張らない。これにより、建具全体を薄型化することができる。
【図面の簡単な説明】
【０００７】
【図１】襖を和室に取り付けた状態を示す図である。
【図２】襖の斜視図である。
【図３】一方の塞ぎ板を外した襖の正面図である。
【図４】図３に示す取付け具をＡ-Ａ線を含む面にて破断し矢視した断面図である。
【図５】図４に示す取付け具を正面であるＢ方向から見て分解した図である。
【図６】取付け具の組立手順を示す図である。
【図７】取付け具の組立手順を示す図である。
【図８】(a)、(b)は図４に示すロック機構の正面図である。
【発明を実施するための形態】
【０００８】
以下、本発明の実施形態を、図を用いて詳述する。本発明は建具に関するが、ここで「建具」とは、部屋の仕切りや外部との仕切りに用いられ、開閉可能な障子、襖、窓、戸の総称を指す。また、「開閉」はスライドして開閉するものと、一側部に蝶番を取り付けて該蝶番を中心として回転して開閉するものの両方を含む。ここでは、「建具」としてスライドして開閉する襖を例示するが、これは「建具」を襖に限定するものではなく、以下で説明する構造は他の「建具」にも適用可能である。
【０００９】
図１は、本実施形態に係る襖を和室に取り付けた状態を示す図である。４枚の襖１が天井近傍の鴨居１０と、床面１５上の敷居１１の間に横並びに設けられる。該４枚の襖１のうち、両端の襖１には、襖１が鴨居１０又は敷居１１に沿ってスライドすることを許す状態と、襖１が鴨居１０又は敷居１１に対してスライドしない状態を切り換えるロック機構が配備される。他の２枚の襖１は、鴨居１０又は敷居１１に沿って常にスライド可能である。以下の記載では、このロック機構が設けられた襖１の構成を説明する。
図２は、襖１の斜視図である。襖１は、木製である矩形状の第１枠体２と、該第１枠体２の内側に取り付けられる金属製で矩形状の第２枠体３とを備えている。第１枠体２は床面１５に直交した仮想面である垂直面Ｌ内に位置している。第１枠体２及び第２枠体３は何れも中央が矩形状に開口しており、第２枠体３の開口及び第２枠体３自体は、ラワン材やベニヤ板からなる塞ぎ板３８にて覆われる。該塞ぎ板３８の表面に化粧紙である襖紙(図示せず)が貼り付けられる。第１枠体２は塞ぎ板３８から露出している。即ち、襖１の外側から木製の第１枠体２は見えるが、金属製の第２枠体３は見えない。
尚、襖１には一般的に引手金具が設けられるが、以下では説明の便宜上、その記載及び説明を省く。
【００１０】
図３は、一方の塞ぎ板３８を外した襖１の正面図であり、手前を前方、奥を後方とする。第２枠体３の内側には、耐震強度を高めるための筋交い構造４が設けられている。第１枠体２は４本の角材を組み合わせて構成され、最上位の角材は上縁２０を、最下位の角材は下縁２１を、両側の角材は縦縁２２を夫々構成する。上縁２０と両縦縁２２、下縁２１と両縦縁２２は夫々ネジ(図示せず)にて締結される。第２枠体３は４本の金属角材３０を組み合わせて構成され、互いの隅部は溶接等にて連結される。この金属角材３０は中実でも中空であってもよいが、中空であれば、第２枠体３ひいては襖１全体を軽量化することができる。第１枠体２と第２枠体３とは、第２枠体３の内側から螺合される複数の第１木工ネジ２３にて締結され、該第１木工ネジ２３は上下に亘って略等間隔に設けられる。これにより、第１枠体２と第２枠体３とは上下に亘って締結強度が略均一になる。
【００１１】
第２枠体３の両側部は、略水平な木製の横組子３１によって連結され、該横組子３１は上下に亘って等間隔に複数設けられる。横組子３１は第２枠体３の外側から螺合される第２木工ネジ３２にて締結され、該第２木工ネジ３２は前記の第１木工ネジ２３と長さが異なっても同じでもよい。第２枠体３の上下方向の中央部に位置する横組子３１の下側には、第２枠体３の両側部を連結する金属製の接続棒３３が設けられ、該接続棒３３と横組子３１とによって力子３４を構成する。これにより第２枠体３は筋交い構造４に加えて、側方からの衝撃荷重、振動による歪みに対する強度が高められる。
【００１２】
前記の筋交い構造４は、第２枠体３の対角線に沿って設けられる２本の筋交い４０を交差させて構成される。各筋交い４０は細長い平帯状であって、例えば炭素繊維、又は該炭素繊維とエポキシ樹脂系の合成樹脂との複合材料から形成されている。出願人はこの筋交い４０の厚みを１-２ｍｍ程度に想定しているが、この厚みに限定されない。筋交い４０はその平らな面が前記の床面１５に直交した垂直面Ｌに対向している。両筋交い４０の交差部は固定されておらず、一方の筋交い４０は他方の筋交い４０がたとえ撓んでもその影響を受けない。また、筋交い４０の交差部を固定しようとすると、筋交い４０が炭素繊維製であるから、筋交い４０に締結具が通るための穴を開設する必要があるが、これでは筋交い４０の強度が低下する。このため、両筋交い４０の交差部は固定されていない。
第２枠体３の内側の４隅には、取付け具５が設けられ、各筋交い４０の端部は対応する取付け具５に取り付けられる。
このように、筋交い４０は、平帯状の炭素繊維から形成されるので、筋交い構造４が軽量となる。また、筋交い４０はその平らな面が垂直面Ｌに対向しているから、筋交い構造４が襖１に施工された状態で筋交い構造４自体が嵩張らない。これにより、襖１全体を薄型化することができる。尚、平帯状の筋交い４０は後記するように、当初は巻き取られたロール状にて供給され、襖１の作成現場にて適宜の長さに切断して用意される。
【００１３】
(取付け具の詳細構造)
図４は、図３に示す取付け具５をＡ-Ａ線を含む面にて破断し矢視した断面図であり、図５は図４に示す取付け具５を正面であるＢ方向から見て分解した図である。取付け具５は金属板から形成される第１の部材７と、該第１の部材７に対向し金属板から形成される第２の部材５０と、該第２の部材５０と第１の部材７とに挟まれるスペーサ６とから構成される。第２の部材５０と第１の部材７とは略同じ外形形状に構成される。
スペーサ６には筋交い４０の端部が入る切欠き６０が開設されている。第２の部材５０にスペーサ６を重ねた状態で切欠き６０に筋交い４０の端部を入れ、該スペーサ６の上に第１の部材７を重ねて取付け具５が組み立てられる。第２の部材５０にはネジ孔５１が、スペーサ６と第１の部材７にはネジ孔５１に合わさるネジ貫通孔６１が複数開設されている。第１の部材７にはまた切欠き６０に対応した部位に確認用孔７０が開設されている。
第２の部材５０の周縁部であって、第２枠体３に接する箇所は、奥向きに折曲されて当て板５２を形成する。
【００１４】
取付け具５は以下の手順にて組み立てられて、筋交い４０の端部を保持する。取付け具５として図３の左下側に位置する取付け具５を例示する。まず、第２の部材５０を第２枠体３の隅部に配置して、当て板５２を第２枠体３の隅部に溶接等で取り付ける。次に、図６に示すように、ネジ孔５１とネジ貫通孔６１とが合わさるように、第２の部材５０上にスペーサ６を置く。スペーサ６の切欠き６０内及び筋交い４０の端部に接着剤を塗布して、第２の部材５０上にてスペーサ６の切欠き６０内に筋交い４０の端部を挿入する。接着剤は例えばエポキシ樹脂製である。しかし、炭素繊維製の筋交い４０と金属製の第２の部材５０を接着させることができるものであれば、これに限定されない。
【００１５】
次に、図７に示すように、スペーサ６の上に第１の部材７をネジ孔５１とネジ貫通孔６１とを合わせるように被せ、第１の部材７の上からネジ(図示せず)をネジ貫通孔６１を通ってネジ孔５１に螺合させる。このとき、第１の部材７の確認用孔７０から接着剤が流出するので、切欠き６０の全体に接着剤が行き渡り、筋交い４０が正しく接着されていることを目視で確認することができる。このようにして、取付け具５が組み立てられる。
【００１６】
(襖の作成手順)
以下に、本実施形態に係る襖１の作成手順を説明する。先ず、４本の金属角材３０を組み合わせて第２枠体３を作成し、両側となる金属角材３０間に複数本の横組子３１を等間隔に配置する(図３参照)。第２枠体３の外側から第２木工ネジ３２を横組子３１に螺合させて、該横組子３１を第２枠体３に締結するとともに、隣り合う金属角材３０の端部を溶接にて接続する。
次に、第２枠体３の内側隅部に第２の部材５０の当て板５２を第２枠体３の隅部に溶接等で取り付ける。ロール状の炭素繊維製の帯から、第２枠体３の対角線に相当する長さの筋交い４０を切り出す。前記に記載した手順にて、取付け具５を組み立てる。
次に、該第２枠体３の外側に、夫々縦縁２２、上縁２０、下縁２１となる角材を当接させ、第２枠体３の内側から第１木工ネジ２３を第２枠体３の金属角材３０を通って縦縁２２に螺合させる。縦縁２２と上縁２０、縦縁２２と下縁２１とをネジにて締結して、第２枠体３の外側に第１枠体２が取り付けられる。第２枠体３を塞ぎ板３８にて覆い、該塞ぎ板３８に襖紙を貼り付けて、襖１が完成する。
尚、第２枠体３の外側に第１枠体２を取り付けた後に、第２の部材５０の当て板５２を第２枠体３の隅部に溶接等で取り付け、取付け具５を組み立ててもよい。
【００１７】
(ロック機構)
前記の如く、鴨居１０と敷居１１の間に位置する４枚の襖１のうち、両端の襖１には、ロック機構が設けられる。このロック機構８は、図４に示すように、各取付け具５の後方に設けられ、以下の説明では、襖１の左下端に位置するロック機構８を例示する。
図８(a)、(b)は、図４に示すロック機構８の正面図である。ロック機構８はカム板９と該カム板９に対向して上下に延びたピン８０を備える。カム板９は取付け具５の後方に位置する塞ぎ板３８に設けられて、カム溝９０を開設している。該カム溝９０にピン８０から後方に突出した摘み８１が摺動可能に嵌まる。第１枠体２の下縁２１及び第２枠体３の下端の金属角材３０には、ピン８０の通過を許す貫通孔２４、３５が夫々開設されている。敷居１１にて、該ピン８０の下方にはピン挿入孔１２が開設されている。
【００１８】
カム溝９０は、上下に延びた第１溝９１と、該第１溝９１の上端から側方に延びた第２溝９２と、該第２溝９２の端部から下向きに延び下端が第１溝９１の下端よりも上側に位置する第３溝９３とを備えている。図８(a)に示すように、摘み８１が第１溝の下端に位置した状態でピン８０はピン挿入孔１２に嵌まる。この状態で襖１は鴨居１０又は敷居１１に沿ってスライドすることが規制される。即ち、襖１がロックされる。
この襖１を鴨居１０又は敷居１１に沿ってスライドさせるには、図８(b)に示すように、手で摘み８１を引き上げて、摘み８１を第１溝９１から第２溝９２を通って第３溝９３の下端まで移動させる。ピン８０はピン挿入孔１２から引き抜かれ、摘み８１が第３溝９３の下端に係止されることによって、ピン８０がピン挿入孔１２から引き抜かれた状態が維持される。これにより、襖１は鴨居１０又は敷居１１に沿ってスライドすることができる。
【００１９】
(実施形態に係る襖の利点)
本実施形態に係る襖１は、以下の利点を有する。
１．襖１は、最も外側に位置する第１枠体２が木製であり、該第１枠体２を金属製の第２枠体３にて補強している。これにより、襖１の使用者に木材が有する独特の温かみ、肌触りを十分に与えることができるとともに、耐震強度も確保することができる。従って、該襖１は耐震強度を有しつつ、周囲の建築構造物である木製の敷居や鴨居、襖１の周囲の木製柱と調和し、襖１の使用者に心地よさを与えることができる。
また、襖１自体に耐震強度を持たせることにより、襖１が取り付けられる和室全体の耐震強度を高めることができる。
２．筋交い４０は、平帯状の炭素繊維から形成されるので、筋交い構造４が軽量となる。出願人はこの筋交い４０を１-２ｍｍ程度の厚みとすることを想定しているから、筋交い４０は嵩張らず、作業者が筋交い４０を運搬し、及び/又は取り扱う際の労力を軽減することができる。
また、筋交い４０はその平らな面が第１枠体２が位置する垂直面Ｌに対向しているから、筋交い構造４が襖１に施工された状態で筋交い構造４自体が嵩張らない。これにより、襖１全体を薄型化することができる。
３．襖１にロック機構８を設けることにより、襖１が鴨居１０又は敷居１１に沿ってスライドすることを許す状態と、襖１が鴨居１０又は敷居１１に対してスライドしない状態を容易に切り換えることができる。
【００２０】
第１枠体２は木製であるが、この木材の種類は問わない。例えば、杉、檜、松等の和室に相応しい木材であれば種類は問わない。また、第２枠体３及び接続棒３３を構成する金属は、例えばスチールやステンレスであるが、衝撃荷重、振動による歪みに対する所定の強度を有する金属であればよい。更に、第１の部材７と第２の部材５０は金属板であるとしたが、接着剤にて筋交い４０を取り付けることができるものであれば、材質は問わない。また、確認用孔７０は第１の部材７ではなく、第２の部材５０に形成してもよい。
また、筋交い４０は幅広の布状でも耐震強度を確保できるが、これでは取付け具５への取付け作業性が低下する。従って、筋交い４０を帯状に形成している。
【産業上の利用可能性】
【００２１】
本発明は、耐震機能を有する建具に用いると、有用である。
【符号の説明】
【００２２】
１    襖
２    第１枠体
３    第２枠体
４    筋交い構造
５    取付け具
６    スペーサ
８    ロック機構
４０  筋交い
【図１】
2016048004.tif 000003
【図２】
2016048004.tif 000004
【図３】
2016048004.tif 000005
【図４】
2016048004.tif 000006
【図５】
2016048004.tif 000007
【図６】
2016048004.tif 000008
【図７】
2016048004.tif 000009
【図８】
2016048004.tif 000010